(57)【特許請求の範囲】
【請求項１】
移動体通信網に設けられた基地局との間で電波による通信を行い、前記移動体通信網及びインターネットを介して、閲覧情報が格納されたサーバへアクセスし、前記閲覧情報を受信する携帯端末において、
ユーザの操作により所望の閲覧情報を取得するための要求を入力し、前記閲覧情報を画面表示する操作／表示部と、
前記基地局との間で電波による通信が可能な場合、前記サーバへアクセスして前記閲覧情報を受信し、前記閲覧情報をキャッシュメモリに登録して前記操作／表示部に画面表示させ、
前記基地局との間で電波による通信が不可能な場合、前記閲覧情報が前記キャッシュメモリに登録されているか否かを判定し、前記閲覧情報が登録されていると判定したとき、前記閲覧情報を前記キャッシュメモリから読み出して前記操作／表示部に画面表示させ、
前記基地局との間で電波による通信が不可能な場合であって、前記閲覧情報が登録されていないと判定したとき、前記他の携帯端末との間の近距離無線通信が可能な否かを判定し、
前記近距離無線通信が可能であると判定したとき、
前記他の携帯端末との間の近距離無線通信により、前記他の携帯端末にて前記サーバから既に取得済みの前記閲覧情報を、前記他の携帯端末から受信し、前記閲覧情報を前記キャッシュメモリに登録して前記操作／表示部に画面表示させる閲覧情報処理部と、を備え、
前記閲覧情報処理部は、
前記基地局との間で電波による通信が不可能であり、前記閲覧情報が登録されていない場合において、前記近距離無線通信が可能であると判定している限り、前記他の携帯端末から、前記サーバから既に取得済みの閲覧情報を受信し前記キャッシュメモリに登録して前記操作／表示部に画面表示させる処理を繰り返して行い、
その後、前記基地局との間で電波による通信が可能になった場合に、前記サーバへアクセスして前記閲覧情報を取得し、前記閲覧情報を前記キャッシュメモリに登録して前記操作／表示部に画面表示させる、ことを特徴とする携帯端末。
【請求項２】
移動体通信網に設けられた基地局との間で電波による通信を行い、前記移動体通信網及びインターネットを介して、閲覧情報が格納されたサーバへアクセスし、前記閲覧情報を受信する携帯端末による閲覧情報受信方法において、
ユーザの操作により所望の閲覧情報を取得するための要求を入力するステップと、
前記基地局との間で電波による通信が可能であるか否かを判定するステップと、
前記基地局との間で電波による通信が可能であると判定した場合、前記サーバへアクセスして前記閲覧情報を受信し、前記閲覧情報をキャッシュメモリに登録して画面表示するステップと、
前記基地局との間で電波による通信が不可能であると判定した場合、前記閲覧情報が前記キャッシュメモリに登録されているか否かを判定するステップと、
前記閲覧情報が登録されていると判定したとき、前記閲覧情報を前記キャッシュメモリから読み出して画面表示するステップと、
前記基地局との間で電波による通信が不可能な場合であって、前記閲覧情報が登録されていないと判定したとき、前記他の携帯端末との間の近距離無線通信が可能な否かを判定するステップと、
前記近距離無線通信が可能であると判定したとき、前記他の携帯端末との間の近距離無線通信により、前記他の携帯端末にて前記サーバから既に取得済みの前記閲覧情報を、前記他の携帯端末から受信し、前記閲覧情報を前記キャッシュメモリに登録して画面表示するステップと、
前記基地局との間で電波による通信が不可能であり、前記閲覧情報が登録されていない場合において、前記近距離無線通信が可能であると判定している限り、前記他の携帯端末から、前記サーバから既に取得済みの閲覧情報を受信し前記キャッシュメモリに登録して画面表示する処理を繰り返して行うステップと、
その後、前記基地局との間で電波による通信が可能になった場合に、前記サーバへアクセスして前記閲覧情報を取得し、前記閲覧情報を前記キャッシュメモリに登録して画面表示するステップと、
を有する閲覧情報受信方法。
【請求項３】
コンピュータを、請求項１に記載の携帯端末として機能させるための閲覧情報受信プログラム。
【発明の詳細な説明】
【技術分野】
【０００１】
本発明は、インターネット等の通信網に、電波による無線通信により接続可能な携帯端末、閲覧情報を受信する方法及びプログラムに関する。
【背景技術】
【０００２】
従来、携帯端末に対するユーザの操作によって、所望の閲覧情報を取得するサービスが知られている。携帯端末に対するユーザの操作によりＵＲＬ（Ｕｎｉｆｏｒｍ  Ｒｅｓｏｕｒｃｅ  Ｌｏｃａｔｏｒ）が指定されると、携帯端末は、電波による無線通信を行い、インターネット等の通信網に接続されたサーバ（ＵＲＬが示すサーバ）へアクセスし、そのＵＲＬに格納されている閲覧情報をサーバから受信し、画面表示する。これにより、ユーザは、所望の閲覧情報を見ることができる。
【０００３】
具体的には、携帯端末は、インターネットに接続されたサーバから閲覧情報を取得するために、ＵＲＬが指定された要求を、無線通信にて所定の搬送波の電波により基地局（携帯端末との間でデータの送受信を行う基地局のアンテナ）へ送信する。基地局がその電波を受信することで、ＵＲＬが指定された要求は、最終的にインターネットに接続されたサーバへ送信され、閲覧情報が、サーバからインターネットを介して基地局からの電波によって携帯端末へ送信される。このように、携帯端末は、基地局へ電波が届く場合に、サーバから閲覧情報を取得することができる。しかしながら、携帯端末から基地局へ電波が届かない場合には、携帯端末は、サーバへアクセスすることができず、閲覧情報を取得することができない。
【０００４】
そこで、携帯端末がサーバから取得した閲覧情報を自らのキャッシュメモリに登録しておき、その後、基地局へ電波が届かない場所に位置するためサーバへアクセスすることができない場合に、キャッシュメモリに登録された閲覧情報を読み出し、画面表示する技術が知られている（特許文献１を参照）。これにより、ユーザは、携帯端末から基地局へ電波が届かない場合であっても、サーバから取得した過去の閲覧情報を見ることができる。
【先行技術文献】
【特許文献】
【０００５】
【特許文献１】特開２００２−３００６５４号公報
【発明の概要】
【発明が解決しようとする課題】
【０００６】
しかしながら、前述の特許文献１に記載された携帯端末では、携帯端末のキャッシュメモリに閲覧情報が登録されていない場合には、ユーザは閲覧情報を見ることができない。つまり、携帯端末が基地局へ電波を届けることができない場所に位置しており、キャッシュメモリに過去に取得した閲覧情報が登録されていない場合には、携帯端末は、サーバから所望の閲覧情報を取得することができないだけでなく、キャッシュメモリから所望の閲覧情報を読み出すこともできない。この場合、ユーザは、現在の閲覧情報だけでなく過去の閲覧情報も見ることができず、不便である。
【０００７】
そこで、本発明は前記課題を解決するためになされたものであり、その目的は、携帯端末から基地局へ電波が届かない場合であっても、閲覧情報を収集することが可能な携帯端末、閲覧情報受信方法及びプログラムを提供することにある。
【課題を解決するための手段】
【００１１】
前記課題を解決するため、本発明による携帯端末は、移動体通信網に設けられた基地局との間で電波による通信を行い、前記移動体通信網及びインターネットを介して、閲覧情報が格納されたサーバへアクセスし、前記閲覧情報を受信する携帯端末において、ユーザの操作により所望の閲覧情報を取得するための要求を入力し、前記閲覧情報を画面表示する操作／表示部と、前記基地局との間で電波による通信が可能な場合、前記サーバへアクセスして前記閲覧情報を受信し、前記閲覧情報をキャッシュメモリに登録して前記操作／表示部に画面表示させ、前記基地局との間で電波による通信が不可能な場合、前記閲覧情報が前記キャッシュメモリに登録されているか否かを判定し、前記閲覧情報が登録されていると判定したとき、前記閲覧情報を前記キャッシュメモリから読み出して前記操作／表示部に画面表示させ、前記基地局との間で電波による通信が不可能な場合であって、前記閲覧情報が登録されていないと判定したとき、前記他の携帯端末との間の近距離無線通信が可能な否かを判定し、前記近距離無線通信が可能であると判定したとき、前記他の携帯端末との間の近距離無線通信により、前記他の携帯端末にて前記サーバから既に取得済みの前記閲覧情報を、前記他の携帯端末から受信し、前記閲覧情報を前記キャッシュメモリに登録して前記操作／表示部に画面表示させる閲覧情報処理部と、を備え、前記閲覧情報処理部が、前記基地局との間で電波による通信が不可能であり、前記閲覧情報が登録されていない場合において、前記近距離無線通信が可能であると判定している限り、前記他の携帯端末から、前記サーバから既に取得済みの閲覧情報を受信し前記キャッシュメモリに登録して前記操作／表示部に画面表示させる処理を繰り返して行い、その後、前記基地局との間で電波による通信が可能になった場合に、前記サーバへアクセスして前記閲覧情報を取得し、前記閲覧情報を前記キャッシュメモリに登録して前記操作／表示部に画面表示させる、ことを特徴とする。
【００１２】
さらに、本発明による閲覧情報受信方法は、移動体通信網に設けられた基地局との間で電波による通信を行い、前記移動体通信網及びインターネットを介して、閲覧情報が格納されたサーバへアクセスし、前記閲覧情報を受信する携帯端末による閲覧情報受信方法において、ユーザの操作により所望の閲覧情報を取得するための要求を入力するステップと、前記基地局との間で電波による通信が可能であるか否かを判定するステップと、前記基地局との間で電波による通信が可能であると判定した場合、前記サーバへアクセスして前記閲覧情報を受信し、前記閲覧情報をキャッシュメモリに登録して画面表示するステップと、前記基地局との間で電波による通信が不可能であると判定した場合、前記閲覧情報が前記キャッシュメモリに登録されているか否かを判定するステップと、前記閲覧情報が登録されていると判定したとき、前記閲覧情報を前記キャッシュメモリから読み出して画面表示するステップと、前記基地局との間で電波による通信が不可能な場合であって、前記閲覧情報が登録されていないと判定したとき、前記他の携帯端末との間の近距離無線通信が可能な否かを判定するステップと、前記近距離無線通信が可能であると判定したとき、前記他の携帯端末との間の近距離無線通信により、前記他の携帯端末にて前記サーバから既に取得済みの前記閲覧情報を、前記他の携帯端末から受信し、前記閲覧情報を前記キャッシュメモリに登録して画面表示するステップと、前記基地局との間で電波による通信が不可能であり、前記閲覧情報が登録されていない場合において、前記近距離無線通信が可能であると判定している限り、前記他の携帯端末から、前記サーバから既に取得済みの閲覧情報を受信し前記キャッシュメモリに登録して画面表示する処理を繰り返して行うステップと、その後、前記基地局との間で電波による通信が可能になった場合に、前記サーバへアクセスして前記閲覧情報を取得し、前記閲覧情報を前記キャッシュメモリに登録して画面表示するステップと、を有することを特徴とする。
【００１３】
さらに、本発明による閲覧情報受信プログラムは、コンピュータを、前記携帯端末として機能させることを特徴とする。
【発明の効果】
【００１４】
以上のように、本発明によれば、携帯端末から基地局へ電波が届かない場合、近距離無線通信によって他の携帯端末から閲覧情報を収集するようにした。これにより、携帯端末が基地局へ電波を届けることができない場所に位置しており、サーバから閲覧情報を取得することができない場合であっても、閲覧情報を収集することが可能となり、ユーザは、閲覧情報を見ることができる。したがって、携帯端末の利便性を向上させることができる。
【図面の簡単な説明】
【００１５】
【図１】本発明の実施形態による携帯端末を含むネットワークの全体構成を示す概略図である。
【図２】本発明の実施形態による携帯端末がサーバから閲覧情報を取得するシーケンス、及び他の携帯端末から閲覧情報を収集するシーケンスの概要を説明する図である。
【図３】本発明の実施形態による携帯端末の構成を示すブロック図である。
【図４】キャッシュメモリに登録された閲覧情報の例を示す図である。
【図５】閲覧情報処理部の構成を示すブロック図である。
【図６】実施例１の閲覧情報収集処理を示すフローチャートである。
【図７】実施例２の閲覧情報収集処理を示すフローチャートである。
【図８】近距離通信情報送信処理部による閲覧情報送信処理を示すフローチャートである。
【発明を実施するための形態】
【００１６】
以下、本発明を実施するための形態について図面を用いて詳細に説明する。本発明は、インターネット等の通信網へ無線通信により接続可能な携帯端末において、インターネット等の通信網に接続されたサーバから所望の閲覧情報を受信できない場合、例えば、携帯端末を所持しているユーザが地下鉄に乗車しているため、電波が基地局に届かない場合、近距離無線通信が可能な他の携帯端末から所望の閲覧情報を収集することを特徴とする。
【００１７】
〔ネットワークの全体構成〕
まず、本発明の実施形態による携帯端末を含むネットワークの全体構成について説明する。図１は、ネットワークの全体構成を示す概略図である。このネットワークは、携帯端末１−１，１−２，１−３等、サーバ２、移動体通信網３及びインターネット４により構成され、携帯端末１−１，１−２，１−３等の間で近距離無線通信が行われる。携帯端末１−１，１−２，１−３等は、移動体通信網３に接続され、携帯端末１−１，１−２，１−３等とサーバ２とは、移動体通信網３及びインターネット４を介して接続される。移動体通信網３は電話網等のネットワークであり、移動体通信網３には、携帯端末１−１，１−２，１−３等との間で電波の送受信を行う基地局（図示せず）が設けられている。また、携帯端末１−１，１−２，１−３等は、携帯端末１−１，１−２，１−３等間で互いに近距離無線通信を行う機能を有しており、携帯端末１−１，１−２，１−３等の間でデータの送受信が直接行われる。
【００１８】
携帯端末１−１，１−２，１−３等は、ユーザにより操作され、ユーザの所望する閲覧情報を、移動体通信網３及びインターネット４を介してサーバ２から取得する。サーバ２には、種々の閲覧情報が格納されている。また、携帯端末１−１，１−２，１−３等は、キャッシュメモリ６を備えており、サーバ２から取得した閲覧情報を登録すると共に、近距離無線通信により他の携帯端末１−１，１−２，１−３等から閲覧情報を収集し、収集した閲覧情報もキャッシュメモリ６に登録する。
【００１９】
〔閲覧情報の取得及び収集シーケンス〕
次に、図１に示した携帯端末１−１，１−２，１−３及びサーバ２による閲覧情報の取得シーケンス及び収集シーケンスについて説明する。図２は、本発明の実施形態による携帯端末１−１がサーバ２から閲覧情報を取得するシーケンス、及び他の携帯端末１−２，１−３から閲覧情報を収集するシーケンスの概要を説明する図である。図２において、ユーザが携帯端末１−１を所持しており、所望の閲覧情報を見るための操作を行うものとする。また、そのユーザの近傍（携帯端末１−１，１−２，１−３間で近距離無線通信が可能な領域内）には、携帯端末１−２を所持した他のユーザ及び携帯端末１−３を所持した他のユーザが位置しているものとする。
【００２０】
携帯端末１−１は、ユーザにより所望の閲覧情報を見るための操作が行われ、ＵＲＬが指定されると、携帯端末１−１から基地局へ電波が届き、電波の受信が可能な場合には、所望の閲覧情報を取得するための送信要求を、移動体通信網３及びインターネット４を介して、そのＵＲＬに従ってサーバ２へ送信する。そして、サーバ２は、携帯端末１−１からの送信要求に対する閲覧情報を、インターネット４及び移動体通信網３を介して携帯端末１−１へ送信する。携帯端末１−１は、閲覧情報を受信すると、キャッシュメモリ６に登録して画面表示する。
【００２１】
一方、携帯端末１−１は、ユーザにより所望の閲覧情報を見るための操作が行われ、ＵＲＬが指定されたにもかかわらず、携帯端末１−１から基地局へ電波が届かず、電波の受信が不可能な場合には、すなわち、サーバ２から閲覧情報を取得することができない場合には、近距離無線通信の機能を用いて、近距離無線通信が可能な領域内に存在する他の携帯端末１−２，１−３から、閲覧情報を収集する。具体的には、携帯端末１−１は、近距離無線通信の機能を用いて、所望の閲覧情報を収集するための送信要求を携帯端末１−２へ送信する。そして、携帯端末１−２は、近距離無線通信の機能を用いて、携帯端末１−１から送信要求を受信し、送信要求に対する閲覧情報をキャッシュメモリ６から読み出して携帯端末１−１へ送信する。携帯端末１−１は、閲覧情報を受信すると、キャッシュメモリ６に登録して画面表示する。携帯端末１−３についても同様である。
【００２２】
〔携帯端末の構成〕
次に、本発明の実施形態による携帯端末１−１の構成について説明する。図３は、図１に示した携帯端末１−１の構成を示すブロック図である。図３に示す携帯端末１−１の構成は、携帯端末１−２，１−３等についても同様である。後述する図４及び図５に示す構成、並びに図６〜図８に示すフローチャートについても同様である。図３において、携帯端末１−１は、閲覧情報処理部５、キャッシュメモリ６及び操作／表示部７を備えている。
【００２３】
閲覧情報処理部５は、操作／表示部７から、閲覧情報を取得するための要求を入力し、携帯端末１−１から基地局へ電波が届き、電波の受信が可能であるか否かを判定し、電波受信が可能な場合、送信要求を移動体通信網３及びインターネット４を介してサーバ２へ送信し、サーバ２から閲覧情報を受信する。一方、閲覧情報処理部５は、電波受信が不可能な場合、近距離無線通信の機能を用いて、送信要求を、近傍に存在する近距離無線通信が可能な他の携帯端末１−２，１−３等へ送信し、携帯端末１−２，１−３等から閲覧情報を受信する。そして、閲覧情報処理部５は、受信した閲覧情報をキャッシュメモリ６に登録し、閲覧情報を画面表示するための表示指示を操作／表示部７に出力する。
【００２４】
キャッシュメモリ６は、閲覧情報処理部５により登録される閲覧情報を格納する。図４は、キャッシュメモリ６に登録された閲覧情報の例を示す図である。図４に示すように、キャッシュメモリ６に登録された閲覧情報は、その閲覧情報が格納されていた場所を示すＵＲＬ、その閲覧情報の内容（閲覧情報のタイトルを含む）、ＵＲＬが示す場所のサーバ２に格納された閲覧情報の時刻情報（その閲覧情報がサーバ２に格納され、インターネット４を介して取得されるようになった時刻）を含んで構成される。例えば、閲覧情報がニュースの場合、各行の閲覧情報がそれぞれのニュースを示しており、図４では、２０１１年３月１２日１５時１９分にサーバ２に掲載されたニュースの情報（ＵＲＬ及び閲覧情報の内容）、２０１１年３月１２日１５時００分にサーバ２に掲載されたニュースの情報等を示している。最上段の行の閲覧情報が最新の情報であり、最下段の行の閲覧情報が最も過去の情報である。また、キャッシュメモリ６には、携帯端末１−１がサーバ２から取得した閲覧情報、及び、携帯端末１−２，１−３等から近距離無線通信により収集した閲覧情報が登録される。
【００２５】
操作／表示部７は、ユーザインターフェースの処理部であり、ユーザの操作により所望の閲覧情報を取得するための要求を入力し、所望の閲覧情報が格納されたＵＲＬが指定されると、タッチパネルまたは／及びキーからの操作情報に基づいて、所望の閲覧情報を取得するための要求を閲覧情報処理部５に出力する。また、操作／表示部７は、閲覧情報処理部５から表示指示を入力し、キャッシュメモリ６に登録された閲覧情報を読み出し、画面表示する。
【００２６】
尚、操作／表示部７は、キャッシュメモリ６から最新の時刻情報についての閲覧情報のみを読み出し、画面表示するようにしてもよいし、キャッシュメモリ６から、閲覧情報の内容に含まれるタイトル及び時刻情報を読み出して画面表示し、ユーザによりタイトルを選択する操作に従って、選択された閲覧情報をキャッシュメモリ６から読み出して画面表示するようにしてもよい。
【００２７】
〔閲覧情報処理部の構成〕
図５は、図３に示した携帯端末１−１の閲覧情報処理部５の構成を示すブロック図である。この閲覧情報処理部５は、サーバ通信部５１、情報処理部５２、近距離通信部５３、近距離通信情報受信処理部５４及び近距離通信情報送信処理部５５を備えている。
【００２８】
サーバ通信部５１は、電波受信可能判定部を備えており、電波受信可能判定部は、基地局へ電波が届いて基地局から電波を受信することが可能であるか否かを所定時間間隔で定期的に判定し、電波の受信可否を示す電波受信可否情報を生成し、情報処理部５２に出力する。また、サーバ通信部５１は、移動体通信網３に設けられた基地局との間で電波の送受信を行い移動体通信網３及びインターネット４を介してサーバ２と接続し、閲覧情報を取得するための送信要求をサーバ２へ送信し、サーバ２からその送信要求に対する閲覧情報を受信する。ユーザの操作に従った所望の閲覧情報を取得するための送信要求は、情報処理部５２から入力され、サーバ２から取得した閲覧情報は、情報処理部５２に出力される。尚、インターネット４におけるデータの送受信に必要なプロトコルとして、例えばＴＣＰ／ＩＰ及びＨＴＴＰが用いられ、ＴＣＰ／ＩＰにより携帯端末１−１とサーバ２との間の通信路が確立し、ＨＴＴＰによりデータの送受信が行われる。
【００２９】
情報処理部５２は、サーバ通信部５１から電波受信可否情報を入力すると共に、操作／表示部７から、ユーザの操作に従った所望の閲覧情報（ユーザにより指定されたＵＲＬに格納された閲覧情報）を取得するための要求を入力する。また、情報処理部５２は、近距離通信情報受信処理部５４から同様の要求（サーバ通信要求）を入力する。情報処理部５２は、電波受信可否情報が電波受信可能を示している場合、操作／表示部７からの要求及び近距離通信情報受信処理部５４からのサーバ通信要求に従って、閲覧情報を取得するための送信要求をサーバ通信部５１に出力する。そして、情報処理部５２は、サーバ通信部５１により取得されたサーバ２からの閲覧情報を入力し、図４に示した閲覧情報（ＵＲＬ、閲覧情報の内容及び時刻情報等）をキャッシュメモリ６に登録する。これにより、サーバ２から取得した閲覧情報が、キャッシュメモリ６に登録される。一方、情報処理部５２は、電波受信可否情報が電波受信不可能を示している場合、近距離通信要求を近距離通信情報受信処理部５４に出力する。
【００３０】
近距離通信部５３は、例えばＷｉ−Ｆｉ（登録商標／ワイファイ：Ｗｉｒｅｌｅｓｓ  Ｆｉｄｅｌｉｔｙ）を用いたすれちがい通信により、閲覧情報を収集するための送信要求を他の携帯端末１−２，１−３等へ送信し、送信要求に対する閲覧情報を、送信要求を送信した宛先である他の携帯端末１−２,１−３等から受信する。また、近距離通信部５３は、他の携帯端末１−２，１−３等から閲覧情報を収集するための送信要求を受信し、その送信要求に対する閲覧情報を、送信要求を送信してきた送信元である他の携帯端末１−２，１−３等へ送信する。他の携帯端末１−２，１−３等への送信要求は、近距離通信情報受信処理部５４から入力され、他の携帯端末１−２，１−３等から収集した閲覧情報は、近距離通信情報受信処理部５４に出力される。また、他の携帯端末１−２，１−３等から受信した送信要求は、近距離通信情報送信処理部５５に出力され、その送信要求に対する閲覧情報は、近距離通信情報送信処理部５５から入力される。送信要求には、ユーザにより指定されたＵＲＬが含まれる。
【００３１】
近距離通信情報受信処理部５４は、情報処理部５２から近距離通信要求を入力し、閲覧情報を収集するための送信要求を近距離通信部５３に出力し、他の携帯端末１−２，１−３等から収集した閲覧情報を近距離通信部５３から入力し、図４に示した閲覧情報（ＵＲＬ、閲覧情報の内容及び時刻情報等）をキャッシュメモリ６に登録する。これにより、近距離無線通信により他の携帯端末１−２，１−３等から収集した閲覧情報が、キャッシュメモリ６に登録される。つまり、携帯端末１−１は、他の携帯端末１−２，１−３等から閲覧情報を収集することができる。また、近距離通信情報受信処理部５４は、サーバ２から閲覧情報を取得するためのサーバ通信要求を情報処理部５２に出力する。
【００３２】
近距離通信情報送信処理部５５は、近距離通信部５３から、他の携帯端末１−２，１−３等からの送信要求を入力し、その送信要求に対する閲覧情報をキャッシュメモリ６から読み出し、その閲覧情報を近距離通信部５３に出力する。具体的には、近距離通信情報送信処理部５５は、送信要求に含まれるＵＲＬをキーにしてキャッシュメモリ６を検索し、その送信要求ＵＲＬに関連するＵＲＬ、閲覧情報の内容及び時刻情報を読み出し、これらの閲覧情報を近距離通信部５３に出力する。これにより、他の携帯端末１−２，１−３等からの送信要求に対する閲覧情報がキャッシュメモリ６から読み出され、他の携帯端末１−２，１−３等へ送信される。つまり、他の携帯端末１−２，１−３等は、携帯端末１−１から閲覧情報を収集することができる。
【００３３】
尚、近距離通信情報送信処理部５５は、送信要求に含まれるＵＲＬをキーにしてキャッシュメモリ６を検索した際に、その送信要求ＵＲＬに関連するＵＲＬが存在しない場合、すなわち所望の閲覧情報が存在しない場合、送信要求に対する閲覧情報が無い旨の情報を近距離通信部５３に出力し、近距離通信部５３は、その情報を携帯端末１−２，１−３等へ送信する。尚、携帯端末１−１を用いるユーザにより、閲覧情報を他の携帯端末１−２，１−３等へ送信しないように予め設定されている場合、近距離通信情報送信処理部５５は、閲覧情報を送信しない旨の情報を近距離通信部５３に出力し、近距離通信部５３は、その情報を携帯端末１−２，１−３等へ送信する。
【００３４】
〔携帯端末の処理〕
次に、図３〜図５に示した携帯端末１−１の処理について詳細に説明する。以下に説明する実施例１は、携帯端末１−１による基本的な処理の例であり、携帯端末１−１から基地局へ電波が届き、電波の受信が可能な場合には、移動体通信網３及びインターネット４を介してサーバ２から閲覧情報を取得してキャッシュメモリ６に登録し、携帯端末１−１から基地局へ電波が届かず、電波の受信が不可能な場合には、近距離無線通信により他の携帯端末１−２，１−３等のキャッシュメモリ６に登録されている閲覧情報を収集する。実施例２は、実施例１に比べ実用的な処理の例であり、実施例１の処理に加えて、基地局へ電波が届かず、電波の受信が不可能な場合には、近距離無線通信可能な他の携帯端末１−２，１−３等から閲覧情報を収集しながら、基地局へ電波が届き、電波の受信が可能な状態になったか否かを判定し、電波の受信が可能になったと判定した場合には、サーバ２から閲覧情報を取得する。
【００３５】
〔実施例１〕
まず、実施例１について説明する。図６は、実施例１の閲覧情報収集処理を示すフローチャートである。まず、携帯端末１−１の操作／表示部７は、ユーザによる所望の閲覧情報を見るための操作（ＵＲＬの指定）に従った閲覧要求があるか否かを判定し（ステップＳ６０１）、閲覧要求があると判定した場合（ステップＳ６０１：Ｙ）、その閲覧情報を取得するための要求を閲覧情報処理部５の情報処理部５２に出力する。一方、操作／表示部７は、閲覧要求がないと判定した場合（ステップＳ６０１：Ｎ）、閲覧要求があるまで待つ。
【００３６】
閲覧情報処理部５の情報処理部５２は、閲覧情報を取得するための要求を操作／表示部７から入力すると、サーバ通信部５１から電波受信可否情報を入力し、携帯端末１−１から基地局へ電波が届き、電波の受信が可能であるか、または携帯端末１−１から基地局へ電波が届かず、電波の受信が不可能であるかの判定を行う（ステップＳ６０２）。この場合、サーバ通信部５１の電波受信可能判定部は、基地局へ電波が届いて基地局から電波を受信することが可能であるか否かを示す電波受信可否情報を、所定時間間隔で定期的に情報処理部５２に出力している。
【００３７】
情報処理部５２は、ステップＳ６０２において、電波受信可能であると判定した場合（ステップＳ６０２：Ｙ）、送信要求をサーバ通信部５１に出力し、サーバ通信部５１は、サーバ２へアクセスし、所望の閲覧情報を取得するための送信要求を、移動体通信網３及びインターネット４を介してサーバ２へ送信する（ステップＳ６０３）。サーバ２は、送信要求を受信すると、送信要求に対する閲覧情報（ＵＲＬに格納されている閲覧情報）を、インターネット４及び移動体通信網３を介して携帯端末１−１へ送信する。そして、サーバ通信部５１は、送信要求に対する閲覧情報をサーバ２から受信して情報処理部５２に出力する（ステップＳ６０４）。そして、情報処理部５２は、サーバ通信部５１から閲覧情報を入力し、キャッシュメモリ６に登録し（ステップＳ６０５）、表示指示（ＵＲＬを含む表示指示）を操作／表示部７に出力し、操作／表示部７は、情報処理部５２から表示指示を入力すると、表示指示に対する閲覧情報を、ＵＲＬをキーにしてキャッシュメモリ６から読み出し、画面表示する（ステップＳ６０６）。
【００３８】
これにより、携帯端末１−１のキャッシュメモリ６には、サーバ２から取得した最新の閲覧情報が登録される。また、携帯端末１−１，１−２，１−３等が電波受信不可能な場所に存在する場合であっても、他の携帯端末１−２，１−３等は、携帯端末１−１との間で近距離無線通信が可能な場合には、携帯端末１−１のキャッシュメモリ６に登録された閲覧情報を、近距離無線通信により収集することができる。
【００３９】
情報処理部５２は、ステップＳ６０２において、電波受信不可能であると判定した場合（ステップＳ６０２：Ｎ）、近距離通信要求を近距離通信情報受信処理部５４に出力し、近距離通信情報受信処理部５４は、情報処理部５２から近距離通信要求を入力すると、送信要求を近距離通信部５３に出力する。そして、近距離通信部５３は、近距離通信情報受信処理部５４から送信要求を入力すると、近距離無線通信により他の携帯端末１−２，１−３等へアクセスし（ステップＳ６０７）、所望の閲覧情報を収集するための送信要求（所望の閲覧情報が格納されたサーバ２の所在場所のＵＲＬを含む送信要求）を送信する（ステップＳ６０８）。他の携帯端末１−２，１−３等は、近距離無線通信により送信要求を受信すると、送信要求に対する閲覧情報（ＵＲＬに対応する閲覧情報）をキャッシュメモリ６から読み出し、携帯端末１−１へ近距離無線通信により送信する。そして、近距離通信部５３は、閲覧情報を他の携帯端末１−２，１−３等から受信して近距離通信情報受信処理部５４に出力する（ステップＳ６０９）。そして、近距離通信情報受信処理部５４は、近距離通信部５３から閲覧情報を入力し、キャッシュメモリ６に登録する（ステップＳ６１０）。この場合、近距離通信部５３は、近距離無線通信が可能な他の携帯端末１−２，１−３等のそれぞれに対し、送信要求を順番に送信し、携帯端末１−２，１−３等から閲覧情報を受信する。
【００４０】
これにより、携帯端末１−１のキャッシュメモリ６には、近距離無線通信が可能な他の携帯端末１−２，１−３等から収集した閲覧情報が登録される。つまり、携帯端末１−１，１−２，１−３等が電波受信不可能な場所に存在する場合であっても、携帯端末１−１は、他の携帯端末１−２，１−３等により既に取得された閲覧情報を収集することができる。したがって、携帯端末１−１は、ユーザの操作により、キャッシュメモリ６から、他の携帯端末１−２，１−３等から収集した閲覧情報を読み出し、画面表示することができる。この場合の閲覧情報は、サーバ２に格納されている現在の閲覧情報の場合もあり得るし、サーバ２に格納されていた過去の閲覧情報の場合もあり得る。ユーザは、携帯端末１−１が電波受信の不可能な場所に位置しており、サーバ２へアクセスできない場合であっても、少なくともサーバ２に格納されていた過去の閲覧情報を見ることができる。
【００４１】
〔実施例２〕
次に、実施例２について説明する。図７は、実施例２の閲覧情報収集処理を示すフローチャートである。図７において、実施例２のステップＳ７０１〜ステップＳ７０６は、図６に示した実施例１のステップＳ６０１〜ステップＳ６０６と同様であるから、説明を省略する。
【００４２】
携帯端末１−１における閲覧情報処理部５の情報処理部５２は、ステップＳ７０２において、電波受信不可能であると判定した場合（ステップＳ７０２：Ｎ）、閲覧情報がキャッシュメモリ６に登録されているか否かを判定し（ステップＳ７０７）、閲覧情報がキャッシュメモリ６に登録されていると判定した場合（ステップＳ７０７：Ｙ）、表示指示を操作／表示部７に出力する。そして、操作／表示部７は、情報処理部５２から表示指示（ＵＲＬを含む表示指示）を入力すると、表示指示に対する閲覧情報を、ＵＲＬをキーにしてキャッシュメモリ６から読み出し、（ステップＳ７０８）、画面表示する（ステップＳ７０９）。
【００４３】
これにより、ユーザは、携帯端末１−１が電波受信の不可能な場所に位置しており、サーバ２へアクセスできない場合であっても、携帯端末１−１のキャッシュメモリ６に登録されている閲覧情報を見ることができる。つまり、携帯端末１−１のキャッシュメモリ６に、サーバ２から取得した閲覧情報及び／または他の携帯端末１−２，１−３等から収集した閲覧情報が登録されている場合には、ユーザは、少なくともサーバ２に格納されていた過去の閲覧情報を見ることができる。
【００４４】
情報処理部５２は、ステップＳ７０７において、閲覧情報がキャッシュメモリ６に登録されていないと判定した場合（ステップＳ７０７：Ｎ）、近距離通信要求を近距離通信情報受信処理部５４に出力し、近距離通信情報受信処理部５４は、送信要求を近距離通信部５３に出力する。そして、近距離通信部５３は、近距離通信情報受信処理部５４から送信要求を入力すると、近距離無線通信により他の携帯端末１−２，１−３等のうちのいずれかへアクセスし（ステップＳ７１０）、近距離無線通信が可能な他の携帯端末１−２，１−３等が存在するか否かを判定し（ステップＳ７１１）、近距離無線通信が可能な他の携帯端末１−２，１−３等が存在しない（または、近距離無線通信可能な全ての携帯端末１−２，１−３等との通信が完了した）と判定した場合（ステップＳ７１１：Ｎ）、処理を終了する。
【００４５】
近距離通信部５３は、ステップＳ７１１において、近距離無線通信が可能な他の携帯端末１−２，１−３等が存在すると判定した場合（ステップＳ７１１：Ｙ）、所望の閲覧情報を収集するための送信要求（所望の閲覧情報が格納されたサーバ２の所在場所のＵＲＬを含む送信要求）を、近距離無線通信が可能な他の携帯端末１−２，１−３等のうちの未だ通信が行われていない端末へ送信する（ステップＳ７１２）。他の携帯端末１−２，１−３等は、送信要求を受信すると、送信要求に対する閲覧情報（ＵＲＬに対応する閲覧情報）をキャッシュメモリ６から読み出し、携帯端末１−１へ送信する。そして、近距離通信部５３は、閲覧情報を他の携帯端末１−２，１−３等から受信して近距離通信情報受信処理部５４に出力する（ステップＳ７１３）。そして、近距離通信情報受信処理部５４は、近距離通信部５３から閲覧情報を入力し、キャッシュメモリ６に登録し（ステップＳ７１４）、表示指示（ＵＲＬを含む表示指示）を操作／表示部７に出力する。そして、操作／表示部７は、情報処理部５２から表示指示を入力すると、表示指示に対する閲覧情報を、ＵＲＬをキーにしてキャッシュメモリ６から読み出し、画面表示する（ステップＳ７１５）。
【００４６】
これにより、携帯端末１−１のキャッシュメモリ６には、近距離無線通信が可能な他の携帯端末１−２，１−３等から収集した閲覧情報が登録される。つまり、携帯端末１−１，１−２，１−３等が電波受信不可能な場所に存在する場合であっても、携帯端末１−１は、他の携帯端末１−２，１−３等により既に取得された閲覧情報を収集することができる。また、ユーザは、携帯端末１−１が電波受信の不可能な場所に位置しており、サーバ２へアクセスできない場合であっても、少なくともサーバ２に格納されていた過去の閲覧情報を見ることができる。
【００４７】
近距離通信情報受信処理部５４は、近距離無線通信により収集した閲覧情報をキャッシュメモリ６に格納した後、サーバ通信要求を情報処理部５２に出力し、情報処理部５２は、サーバ通信要求を近距離通信情報受信処理部５４から入力すると、サーバ通信部５１から電波受信可否情報を入力し、携帯端末１−１から基地局へ電波が届き、電波の受信が可能であるか、または携帯端末１−１から基地局へ電波が届かず、電波の受信が不可能であるかの判定、すなわち電波受信可能であるか否かの判定を行う（ステップＳ７１６）。
【００４８】
情報処理部５２は、ステップＳ７１６において、電波受信可能であると判定した場合（ステップＳ７１６：Ｙ）、ステップＳ７０３へ移行し、ステップＳ７０３〜ステップＳ７０６により、サーバ２から閲覧情報を取得し、キャッシュメモリ６に登録すると共に、操作／表示部７は、閲覧情報を画面表示する。一方、情報処理部５２は、ステップＳ７１６において、電波受信不可能であると判定した場合（ステップＳ７１６：Ｎ）、ステップＳ７１０へ移行する。
【００４９】
つまり、携帯端末１−１は、ステップＳ７１０〜ステップＳ７１６において、電波受信が不可能であり、サーバ２から閲覧情報を取得することができない場合、近距離無線通信可能な他の携帯端末１−２，１−３等のそれぞれから閲覧情報を収集し、近距離無線通信が可能な全ての携帯端末１−２，１−３等から閲覧情報を収集したときに、処理を終了する。また、電波受信が可能になった時点で近距離無線通信を止め、サーバ２から閲覧情報を取得する。
【００５０】
これにより、ユーザは、携帯端末１−１が電波受信の不可能な場所に位置しており、サーバ２へアクセスできない場合であっても、少なくともサーバ２に格納されていた過去の閲覧情報を見ることができ、電波受信が可能になった時点で、サーバ２から取得した最新の閲覧情報を見ることができる。
【００５１】
次に、携帯端末１−１のキャッシュメモリ６に登録された閲覧情報を、他の携帯端末１−２，１−３等からの送信要求に従って送信する処理について説明する。図８は、図５に示した閲覧情報処理部５における近距離通信情報送信処理部５５の閲覧情報送信処理を示すフローチャートである。
【００５２】
まず、携帯端末１−１の閲覧情報処理部５における近距離通信部５３は、近距離無線通信により他の携帯端末１−２，１−３等からアクセスがあり（ステップＳ８０１）、他の携帯端末１−２，１−３等から送信要求（所望の閲覧情報が格納されたサーバ２の所在場所のＵＲＬを含む送信要求）を受信したか否かを判定し（ステップＳ８０２）、送信要求を受信したと判定した場合（ステップＳ８０２：Ｙ）、送信要求を近距離通信情報送信処理部５５に出力する。そして、近距離通信情報送信処理部５５は、近距離通信部５３から送信要求を入力すると、キャッシュメモリ６からその送信要求に対する閲覧情報（ＵＲＬに対応する閲覧情報）を読み出し（ステップＳ８０３）、読み出した閲覧情報を近距離通信部５３に出力する。そして、近距離通信部５３は、近距離通信情報送信処理部５５から閲覧情報を入力し、その送信要求を送信してきた他の携帯端末１−２，１−３等へ送信し（ステップＳ８０４）、処理を終了する。
【００５３】
近距離通信部５３は、ステップＳ８０２において、送信要求を受信していないと判定した場合（ステップＳ８０２：Ｎ）、処理を終了してステップＳ８０１へ移行する。
【００５４】
これにより、携帯端末１−１は、近距離無線通信により、キャッシュメモリ６に登録された閲覧情報を他の携帯端末１−２，１−３等へ送信することができ、他の携帯端末１−２，１−３等は、近距離無線通信により、携帯端末１−１から閲覧情報を収集することができる。
【００５５】
以上のように、本発明の実施形態による携帯端末１−１によれば、携帯端末１−１から移動体通信網３の基地局へ電波が届かない場合、近距離無線通信によって他の携帯端末１−２，１−３等から閲覧情報を収集するようにした。これにより、携帯端末１−１が基地局へ電波を届けることができない場所に位置しており、サーバ２から閲覧情報を取得することができない場合であっても、所望の閲覧情報を収集することが可能となり、ユーザは、閲覧情報を見ることができる。したがって、携帯端末の利便性を向上させることができる。
【００５６】
尚、本発明の実施形態による携帯端末１−１，１−２，１−３等のハードウェア構成としては、通常のコンピュータを使用することができる。携帯端末１−１，１−２，１−３等は、ＣＰＵ、ＲＡＭ等の揮発性の記憶媒体、ＲＯＭ等の不揮発性の記憶媒体、及びインターフェース等を備えたコンピュータによって構成される。携帯端末１−１，１−２，１−３等に備えた閲覧情報処理部５（サーバ通信部５１、情報処理部５２、近距離通信部５３、近距離通信情報受信処理部５４及び近距離通信情報送信処理部５５）及び操作／表示部７の各機能は、これらの機能を記述したプログラムをＣＰＵに実行させることによりそれぞれ実現される。また、これらのプログラムは、磁気ディスク（フロッピー（登録商標）ディスク、ハードディスク等）、光ディスク（ＣＤ−ＲＯＭ、ＤＶＤ等）、半導体メモリ等の記憶媒体に格納して頒布することもできる。
【００５７】
以上、実施形態を挙げて本発明を説明したが、本発明は前記実施形態に限定されるものではなく、その技術思想を逸脱しない範囲で種々変形可能である。例えば、前記実施形態の携帯端末１−１は、ユーザにより持ち運びが可能な携帯型の端末装置をいい、例えば、ＰＤＡ（Ｐｅｒｓｏｎａｌ  Ｄｉｇｉｔａｌ  Ａｓｓｉｓｔａｎｔ）、ノート型パーソナルコンピュータ、携帯電話であり、移動体通信網３を介してインターネット４へ接続する機能を有すると共に、他の携帯端末１−２，１−３等と近距離無線通信により接続可能な端末装置であればよい。
【００５８】
また、携帯端末１−１，１−２，１−３等による近距離無線通信は、Ｗｉ−Ｆｉを用いたすれちがい通信により行うようにしてもよいし、Ｂｌｕｅｔｏｏｔｈ（ブルーツース）等の他の手段により行うようにしてもよい。要するに、近距離無線通信は、近距離無線通信が可能な領域内に存在する携帯端末１−１，１−２，１−３等との間で、データを直接的に送受信できればよい。
【００５９】
また、前記実施形態の前記携帯端末１−１は、図７のステップＳ７１５に示したように、他の携帯端末１−２，１−３等のそれぞれから近距離無線通信により閲覧情報を収集すると、収集した閲覧情報毎に画面表示するようにしたが、近距離無線通信が可能な全ての携帯端末１−２，１−３等から閲覧情報を収集した後に、収集した全ての閲覧情報を同じタイミングで画面表示するようにしてもよいし、全ての閲覧情報のうちの最新の時刻情報についての閲覧情報のみを画面表示するようにしてもよい。
【００６０】
また、前記実施形態の携帯端末１−１は、図７のステップＳ７０８に示したように、キャッシュメモリ６から要求に対する全ての閲覧情報（要求に含まれるＵＲＬに対応する閲覧情報）を読み出して画面表示し、図８のステップＳ８０３に示したように、キャッシュメモリ６から送信要求に対する全ての閲覧情報（送信要求に含まれるＵＲＬに対応する閲覧情報）を読み出して送信するようにしたが、全ての閲覧情報のうちの最新の時刻情報についての閲覧情報のみをキャッシュメモリ６から読み出し、画面表示または送信するようにしてもよい。
【符号の説明】
【００６１】
１  携帯端末
２  サーバ
３  移動体通信網
４  インターネット
５  閲覧情報処理部
６  キャッシュメモリ
７  操作／表示部
５１  サーバ通信部
５２  情報処理部
５３  近距離通信部
５４  近距離通信情報受信処理部
５５  近距離通信情報送信処理部
【図１】
0005383736.tif 000002
【図２】
0005383736.tif 000003
【図３】
0005383736.tif 000004
【図４】
0005383736.tif 000005
【図５】
0005383736.tif 000006
【図６】
0005383736.tif 000007
【図７】
0005383736.tif 000008
【図８】
0005383736.tif 000009